(57)【要約】      （修正有）【課題】省エネ効果が高く、養生コストの低減に寄与できるコンクリート二次製品の養生室を提供する。【解決手段】骨組主体を内シート４ａと外シート４ｂにより二重に覆い、断熱空間層４ｄを形成する。外シート４ｂの裾４ｃを密閉するため、床ａに固定された立ち上げ部２２を形成したシート受け枠２１と、シート受け枠２１に沿って設けられるシート押さえ枠２３から成る密閉手段２０を設ける。台３１に丁番３２を介して開閉自在に取り付けられた押え板３３と、押え板３３のロック穴３４に下方から突き抜けるロックピン３５と、ロックピン３５の先端３６に係合するロック環３７とからなる固定手段３０を、密閉手段間隔内に設ける。【選択図】図６
0003164068.tif 000002
【実用新案登録請求の範囲】
【請求項１】
ａ．前後に門状の製品搬入口構成用の搬入口枠体を配置すると共にこの枠体間をＸ状にクロスした折り畳み側枠で連結し、更に前記搬入口枠体の底部に車輪を取り付け、この車輪を床に敷設したガイドレール上に乗せることにより搬入口枠体をガイドレールに沿って接近又は離反させることができるように構成したジャバラ式コンクリート二次製品の養生室の骨組主体と、
ｂ．前記骨組主体をその内側と外側において外シートと内シートにより二重に覆い、かつこの外シートと内シート間に間隔を空けることにより断熱空間層を形成したこと、
ｃ．前記外シートの裾に沿った外側には、床より上方に向けて直立したシート受け板を配置したこと、
ｄ．前記シート受け板に沿った外側には、先端をＬ字状に９０°折り曲げたシート押え板を支点を中心として開閉自在に設けると共にこのシート押え板の先端は閉じたときには９０°折り曲げた先端が前記シート受け板の内側に入り込んでシート受け板の上端に掛けられた外シートの裾を挟み込み、開いたときはシート受け板及び裾から離れて外シートの裾を開放するシート押え板を設けたこと、
ｅ．前記シート押え板の外側に沿い、かつ間隔を空けてシート押え板が裾を押えた状態の時に閉じてこのシート押え板を上方から押え、開いたときにはシート押え板から逃れてこのシート押え板を解放する留め板を支点を中心として回転自在に設けたこと、
ｆ．前記留め板にロック穴を設け、このロック穴に留め板を閉じたときに下方から入り込んで先端側が抜け出るロックピンを設けると共にこの抜け出たロックピンの先端に上方から９０°回転して来て係合することにより留め板をロックして留め板が不用意に開いてシート押え板が開放し、外シートの裾部の密閉性を阻害するのを防止するロック手段を設けたこと、
ｇ．を特徴とするコンクリート二次製品の養生室。
【請求項２】
前記シート押え板の先端側であって、９０°折り曲げられた部分の内面には、緩衝材が貼り付けられていること、を特徴とする請求項１に記載のジャバラ式コンクリート二次製品の養生室。
【請求項３】
前記養生室は、原木あるいは建材の養生用あるいは農産物、食料品、海産物の温度管理に用いられることを特徴とする請求項１に記載のコンクリート二次製品の養生室。
【考案の詳細な説明】
【技術分野】
【０００１】
本考案は、コンクリート二次製品の養生室に関するものである。
【背景技術】
【０００２】
Ｕ字溝と云ったコンクリートの二次製品は、成形後に蒸気を導入した養生室内に搬入して数日間の養生を行うことにより、製品の品質の向上と均一化を図るという工程を経て出荷されるのが普通である。
【０００３】
このため、コンクリートの二次製品を製造する工場には養生室が設備されている。この例として特許文献１（特開平６−１７３４６３号公報）には製品を出し入れする出入口に捲き上げ式のシートを取り設けた固定式の養生室が紹介されていて、この内容は、養生室の製品出入口のシートの隙間から蒸気が漏れ出て熱効率が低下し、エネルギーコストの上昇を招くので、この蒸気の漏れを如何にして防ぐかというものである。
【０００４】
また、最近は、養生する製品の量や大きさに合わせて養生室の大きさを自由に変更することにより蒸気量の節約を図ることができるように、容積可変式の養生室が実用化されている。
【０００５】
この可変式の養生室は、断熱性に優れた養生シートをジャバラ式に組み立てた骨組主体に張り付け、養生室の大きさをジャバラ方式で変更する内容となっている。
【先行技術文献】
【特許文献】
【０００６】
【特許文献１】特開平６−１７３４６３号公報
【考案の概要】
【考案が解決しようとする課題】
【０００７】
しかし、上記したジャバラ式の養生室の場合、次のような欠点がある。
【０００８】
ａ．養生室は、養生シートで覆われているが、この養生シートは１枚のため、特に冬期においては寒冷の遮断が十分でなく、室内の温度を維持するために室内に導入する蒸気量を多くする必要があり、エネルギーコストの上昇を招くと共に省資源的でない。
【０００９】
ｂ．養生シートの裾の部分は床（地面）まで垂らすことで室内を密閉するようにしているが、この裾の部分には隙間が発生しやすく、この隙間から蒸気が漏れ出たり、寒気が室内に侵入する。
【課題を解決するための手段】
【００１０】
本考案は上記した課題を解決するのが目的であって、請求項１に記載の考案は、コンクリート二次製品の養生室において、
ａ．前後に門状の製品搬入口構成用の搬入口枠体を配置すると共にこの搬入口枠体間をＸ状にクロスした折り畳み側枠で連結し、更に前記搬入口枠体の底部に車輪を取り付け、この車輪を床に敷設したガイドレール上に乗せることにより前後の搬入口枠体をガイドレールに沿って接近又は離反させることができるように構成したジャバラ式コンクリート二次製品の養生室用骨組主体と、
ｂ．前記骨組主体をその内側と外側において外シートと内シートにより二重に覆い、かつこの外シートと内シート間に間隔を空けることにより断熱空間層を形成したこと、
ｃ．前記外シートの裾に沿った外側には、床より上方に向けて直立したシート受け板を配置したこと、
ｄ．前記シート受け板に沿った外側には、先端をＬ字状に９０°折り曲げたシート押え板を支点を中心として開閉自在に設けると共にこの押え板の先端は閉じたときには９０°折り曲げた先端が前記シート受け板の内側に入り込んでシート受け板の上端に掛けられた外シートの裾を挟み込み、開いたときはシート受け板及び裾から離れて外シートの裾を開放するシート押え板を設けたこと、
ｅ．前記シート押え板の外側に沿い、かつ間隔を空けてシート押え板が裾を押えた状態の時に閉じてこのシート押え板を上方から押え、開いたときにはシート押え板から逃れてこのシート押え板を解放する留め板を支点を中心として回転自在に設けたこと、
ｆ．前記留め板にロック穴を設け、このロック穴に留め板を閉じたときに下方から入り込んで先端側が抜け出るロックピンを設けると共にこの抜け出たロックピンの先端に上方から９０°回転して来て係合することにより留め板をロックして留め板が不用意に開いてシート押え板が開放し、外シートの裾部の密閉性を阻害するのを防止するロック手段を設けたこと、を特徴とするものである。
【００１１】
この考案によると、内外の養生シート間に断熱空間層が形成されるため、蒸気熱が外に漏れないと共に冷気が室内に入り込まない。
【００１２】
次に、請求項２に記載の考案は、請求項１に記載の養生室において、シート押え板の先端側であって、９０°折り曲げられた部分の内面には、緩衝材が貼り付けられていること、を特徴とするものである。
【００１３】
この考案によると、養生シートの裾の部分が繰り返し挟み込まれても損傷するのを防ぐことができると共にシート押え板を閉じたときに騒音が発生するのを防ぐことができる。
【００１４】
次に、請求項３に記載の考案は、請求項１に記載の養生室は、コンクリート二次製品以外に原木あるいは建材の養生用あるいは農産物、食料品、海産物の温度管理に用いることができるように構成したことを特徴とするものである。
【考案の効果】
【００１５】
本考案によると、養生シートを経由して蒸気熱が逃れたり、内部に寒気が侵入しないため、省エネ効果が高く、養生コストの低減に寄与できる。
【００１６】
また、養生シートの裾の部分に出来た隙間から蒸気が漏れたり、寒気が侵入するのを防ぐことができるため、エネルギーのロスがなく、省エネ上有効である。
【図面の簡単な説明】
【００１７】
【図１】本考案に係る養生室であって、裾の部分を除いた斜視図である。
【図２】養生室の骨組主体の側面図である。
【図３】骨組主体を正面側から見たときの説明図である。
【図４】骨組主体を上方から見たときの説明図である。
【図５】（Ａ）〜（Ｃ）  養生シートの裾を押えるシート押え枠の説明図であって、（Ａ）はシート押え枠の説明図、（Ｂ）はシート押え枠を閉じた状態の説明図、（Ｃ）はシート押えステップの説明図である。
【図６】（Ａ）〜（Ｃ）  シート押え枠と押え板の説明図であって、（Ａ）は押え板が開いている状態、（Ｂ）は閉じてシート押え枠を押えた状態の説明図、（Ｃ）はロックステップの説明図である。
【考案を実施するための形態】
【００１８】
本考案は、コンクリート二次製品あるいは木材、建材等の養生用あるいは農産物、食料品の温度管理用に用いることができる大きさ（容積）可変式の養生室に関するものである。
【００１９】
上記のように、容積可変式の養生室の目的は、使用する蒸気の量を被養生物の量や大きさに合わせて適切かつ無駄がないようにすることであるが、このような可変式の養生室の場合、その多くは養生シートで天面を含む側面が覆われているため、特にシートの裾と床面との間に出来た隙間から蒸気が外に逃げ易いという問題があると共に覆っているシートは１枚のため、冷気が室内に伝わり易い。
【００２０】
この結果、蒸気の使用量が多くなり、エネルギーコストが上昇し、省資源の観点から好ましくないという問題がある。
【００２１】
本考案は、この２つの点を解消するために、養生シートは内外２重構造となし、更にこの２重構造のシート間に断熱空間層を形成して冷気の進入を遮断するようにした。
【００２２】
更に、養生シートの裾の部分から蒸気が漏れ出たり寒気が侵入しない密閉手段を設けた。
【００２３】
図１はこのような構成から成る養生室の全体を示す外観の説明図、図２〜図４は前記養生室の骨組主体の説明図である。
【００２４】
これら図１〜図４において、符号の１は養生室全体を示し、この養生室１は、天面２及び左右の側面３、３ａが養生シート４で覆われていると共に前後の製品搬入口５、６には、養生シートで造られた捲き上げ式の出入口シート７が取り付けられている。
【００２５】
上記構成の養生室１の骨組主体は、図２〜図４に示すように、出入口５、６を構成する金属材製の枠体８、９は門型を呈し、図５（Ｃ）、図６（Ｃ）に示すように下面に車輪１０を取り付け、この車輪１０は床に敷設されたガイドレール１１上に乗った構造である。
【００２６】
また、養生室１を構成する左右の側面３、３ａの骨組は、上記出入口５、６の枠体８、９間をＸ状に形成した金属材製の側枠１２、１３で連結し、この側枠１２、１３の間には、適当な間隔で門型の内枠１４が設けられている。
【００２７】
上記構成の枠体８、９及び側枠１２、１３及び内枠１４の内と外には、図３、図４において点線で示すように内シート４ａと外シート４ｂが二重取り付けられていると共に内シート４ａと外シート４ｂ間には間隔を空けて断熱空間層４ｄが形成されている。
【００２８】
上記構成の２重構造の養生シート４において、内シート４ａの裾は床ａに接し、外シート４ｂの裾４ｃは床に接したあと十分な余裕丈がある。
【００２９】
図１において、７は搬入口５、６に取り付けられた巻き上げ式の出入口シートであって、この構成は本件出願人の所有特許第２８７５４４２号公報に紹介されているものと同一である。
【００３０】
図１において、２０は養生シート４の外シート４ｂの裾４ｃ部分を密閉するための密閉手段であって、この密閉手段２０は、外シート４ｂの裾４ｃの外において、この裾４ｃに沿って床ａに固定された立ち上げ部２２を形成したシート受け枠２１と、前記シート受け枠２１に沿って設けられたシート押え枠２３から成り、このシート押え枠２３は、図５に示すように床ａ面の台２７に丁番２４で回転自在の支持片２５で前後端部及び中間部が支持されていて、先端２３ａ側が倒Ｌ字状に９０°下方に折り曲げられ、丁番２４を中心に閉じられた状態のとき図５（Ｂ）、（Ｃ）に示すようにシート押え枠２３の内側に先端２３ａ側が入り、シート受け枠２１の立ち上げ部２２に掛けられた外シート４ｂの裾４ｃをコーナーの内側に張られた弾性材２６により挟み込んで密閉を図ることができるように構成されている。
【００３１】
図５（Ｃ）において、２８はシート押え枠２３の中央に取り付けたハンドルであって、シート押え枠２３はこのハンドル２８を持って開閉を行うことができる。
【００３２】
３０は前記シート押え枠２３を閉じたときにこのシート押え枠２３を固定するための固定手段であって、この固定手段３０は、前記密閉手段２０の間隔内に設けられていて、閉じた状態のシート押え枠２３が不用意に開放したりして密閉性が害され、蒸気漏れを引き起すのを防止するためのもので、その具体的な構成を図６（Ａ）〜（Ｃ）に基づいて説明すると、固定手段３０は、床ａに固定された台３１に丁番３２を介して開閉自在に取り付けられた押え板３３と、閉じた状態のシート押え枠２３を図６（Ｂ）、（Ｃ）に示すように上方から押えて固定することができ、この押えた状態のときに押え板３３に設けたロック穴３４に下方からロックピン３５が入り、先端３６が突き抜け、この突き抜けた先端３６に側方から係合するロック環３７とから成る。
【００３３】
そして、このロック環３７は、レバー３８により台４２上の支軸４１を中心に回転して倒立自在の作動部材３９の先端に取り付けられていて、作動部材３９内のスプリング４０により図６（Ｂ）、（Ｃ）に示すようにレバー３８を倒してロック環３７がロックピン３５の先端３６に係合したときに引いて係合を確実なものとする構成である。
【００３４】
そして、図６（Ａ）に示すようにレバー３８を作動部材３９に対して立てた状態に起したときにスプリング４０を弛めてロック環３７をロックピン３５の先端３６から外し、押え板３３を丁番３２を中心に開放してシート押え枠２３をフリーな状態となし、この結果シート押え枠２３を外に開放することで外シート４ｂの裾４ｃを解放する。
【００３５】
この結果、枠体８、９をガイドレール１１に沿って移動させることにより室内の容積の変更が可能となる。
【００３６】
因に、本実施例において、養生室１の大きさは、奥行きが４，０００ｍｍ、幅が３，０００ｍｍ、床上の高さが２，０００ｍｍ、内外シート間の断熱空間層は出入口枠５、６のところで５００ｍｍ、天枠及び左右の側枠のところで２００ｍｍ、内シート４ａにはダイワボウ製ハイコン、４ｂには平岡織染製ウルトラマックスを使用した。
【００３７】
養生室１内には、ボイラーで発生した蒸気を導入することにより温度制御を行った。この蒸気導入装置としては、本件出願人が特開２０００−３３５９８７号で紹介した装置を使用した。
【００３８】
なお、本実施例では、蒸気を養生室１内に導入したが、電熱式、温風式で室温を管理しても良く、また公知のコンプレッサーやヒートポンプ等で発生した冷気を導入して農産物、食料品及び魚等の海産物の一時的な低温保管室として、あるいは木材や建材の養生及び乾燥室としても使用することが可能である。
【符号の説明】
【００３９】
１  養生室
４  養生シート
４ａ  内シート
４ｂ  外シート
４ｃ  裾
４ｄ  断熱空間層
２０  密閉手段
２１  シート受け枠
２２  立ち上げ部
２３  シート押え枠
３０  固定手段
３３  押え板
３５  ロックピン
３７  ロック環
３９  作動部材
４０  スプリング
【図１】
0003164068.tif 000003
【図２】
0003164068.tif 000004
【図３】
0003164068.tif 000005
【図４】
0003164068.tif 000006
【図５】
0003164068.tif 000007
【図６】
0003164068.tif 000008